(57)【要約】  現在用いられているＥＣＤ（ElectroChromic DEVICE）は、それぞれ大きな消費電力を有する。ＥＣＤ消費電力を減少させるための方法及び装置が提供される。着色電圧及び脱色電圧を利用してＥＣＤの着色及び脱色を制御する方法において、着色電圧及び脱色電圧がＥＣＤに印加されたときの時間から所定時間後には着色電圧及び脱色電圧が印加されない。ＥＣＤ制御装置は、ＥＣＤの消費電力を減少させるための着色及び脱色動作が始まった後の所定時間の間において、ＥＣＤに印加された着色電圧及び脱色電圧を遮断する。
2008533536.tif 000002
【特許請求の範囲】
【請求項１】
着色電圧及び脱色電圧を利用して、それぞれ、ＥＣＤの着色及び脱色を制御するＥＣＤ制御方法において、
前記着色電圧及び前記脱色電圧がＥＣＤに印加されたときの時間から、所定時間後に前記着色電圧及び脱色電圧を遮断することを特徴とするＥＣＤ制御方法。
【請求項２】
前記脱色電圧は、
前記着色電圧に対して反対極性を有することを特徴とする請求項１に記載のＥＣＤ制御方法。
【請求項３】
着色電圧及び脱色電圧を利用して、それぞれ、ＥＣＤの着色及び脱色を制御するＥＤＣ制御装置において、
前記ＥＣＤに入力される光の量に相応する光検出電圧とＥＣＤの着色のための基準電圧とを比較する比較器と、
前記比較器から出力される論理信号に同期して動作し、動作が始まった後の所定時間の間において、前記着色電圧または前記脱色電圧を前記ＥＣＤに印加するタイマスイッチを具備することを特徴とするＥＣＤ制御装置。
【請求項４】
前記比較器の比較結果に応答し、前記着色電圧または前記脱色電圧を選択的に前記ＥＣＤに印加する電圧選択器をさらに具備することを特徴とする請求項３に記載のＥＣＤ制御装置。
【請求項５】
前記電圧選択器は、
前記比較器の比較結果に応答し、前記着色電圧または前記着色電圧と反対極性を有する脱色電圧を前記ＥＣＤに選択的に印加することを特徴とする請求項４に記載のＥＣＤ制御装置。
【請求項６】
前記電圧選択器は、
前記比較器の前記比較結果に応答し、前記着色電圧または前記着色電圧を反転させることによって得られた前記脱色電圧を前記ＥＣＤに選択的に印加することを特徴とする請求項４に記載のＥＣＤ制御装置。
【請求項７】
前記ＥＣＤ制御装置は、
共通経路として前記ＥＣＤを有するブリッジ回路を構成する４個のスイッチをさらに具備し、
前記４個のスイッチは、
前記ブリッジ回路の対角線方向の互いに異なる２つの経路をそれぞれ決定する第１及び第２スイッチ対を具備し、
前記第１及び第２スイッチ対は、前記比較器の前記比較結果に応答して前記互いに異なる２つの経路のうち一つを形成するためにスイッチングされることを特徴とする請求項６に記載のＥＣＤ制御装置。
【発明の詳細な説明】
【技術分野】
【０００１】
本発明は、ＥＣＤ（ElectroChromic Device）を制御する装置に関し、特に、ＥＣＤにより消耗される電力を減少させるための方法及び装置に関する。
【背景技術】
【０００２】
自動車のルームミラーは、運転手が頭を回さずとも自動車の後方の状況を見ることができるようにするために、一般的に自動車の室内の前方に取り付けられている。しかし、後方車からの強いヘッドライトは、安全な運転の妨害を引き起こすことがあり、それがルームミラーによって反射されたとき、運転手は、それによってまぶしさを感じるために、運転手の疲労度は悪化することもある。
【０００３】
従って、色相を変化させる能力があるルームミラーまたはサイドミラーを有することにより、後方からの光のまぶしさを遮断するための多様な技術が研究されてきた。
【０００４】
グレア防止ミラーとして、ＥＣＤが最も広く利用された。広く利用されているＥＣＤは、米国特許ＵＳ４，９０２，１０８明細書、ＵＳ２０４，７７８明細書、ＵＳ４，２７８，６９３明細書、ＵＳ５，２８０，３８０明細書、ＵＳ５，２８２，０７７明細書、ＵＳ５，３３６，４４８明細書、ＵＳ５，４４８，３９７明細書、ＵＳ５，４５１，８２２明細書、ＵＳ６，５１２，６２４明細書などに開示されている。ＥＣＤは、それ自体に電圧が印加されたとき、酸化及び還元反応によって色相を変化させることができる物質を含むディスプレイ装置の一種である。ＥＣＤは、光の量を調節するために、スマートウインド、温度センサ、車両用ミラー、光学シャッタなどに適用される。
【０００５】
図１は、既存のＥＣＤの垂直断面を表す図面である。図１を参照すれば、ＥＣＤは、一定間隔の距離をおいて互いに平行するように位置した第１及び第２ガラス基板層１０２，１０４、第１及び第２ガラス基板層１０２，１０４上にそれぞれ形成される透明電極１０６，１０８、透明電極１０６，１０８上にそれぞれ所定厚さを有するように形成される第１及び第２ＥＣ層１１０，１１２、第１及び第２ＥＣ層１１０，１１２間に形成される電解質層１１４を含む。第１ＥＣ層１１０としては、ＷＯ３膜（タングステン酸化膜）が使われ、第２ＥＣ層１１２としては、ＮｉＯフィルムが使われ、電解質層１１４としては、液状電解質層、ゲルタイプ電解質層、固相電解質層などが使われる。
【０００６】
図２は、既存のＥＣＤ制御装置の構成を表す図面である。図２を参照すれば、ＥＣＤ制御装置は、電源電圧Ｂ＋と接地電圧との間に直列に連結される抵抗２０２及び光導電素子（例えば、ＣＤＳ）２０４、光導電素子２０４に印加される電圧を所定の基準電圧と比較して論理信号を出力する比較器２０６、比較器２０６の論理信号によって開閉されるスイッチ２０８並びにスイッチ２０８が閉じられたときに電源電圧Ｂ＋により駆動されるＥＣＤ２１０を具備する。
【０００７】
光導電素子２０４の抵抗は、入力される光の量に依存して（例えば、後方にある自動車のヘッドライトからの光の量に依存して）変化し、それによって光導電素子２０４に印加されるＶｓｅｎｓｅ電圧が変化する。光導電素子２０４に印加される電圧は、比較器２０６によって基準電圧Ｖｒｅｆと比較される。後方から入力される光の量が多いとき、光導電素子２０４に印加されるＶｓｅｎｓｅ電圧は低下する。光導電素子２０４に入力される電圧Ｖｓｅｎｓｅが基準電圧Ｖｒｅｆより低くなるとき、比較器２０６から負論理信号が出力される。スイッチ２０８は、前記負論理信号により閉じられる。
【０００８】
スイッチ２０８が閉じられたとき、電源電圧Ｂ＋がＥＣＤ２１０に印加され、ＥＣＤ２１０は、この電源電圧Ｂ＋によって着色される。着色されたＥＣＤ２１０は、着色される前のように後方車両のヘッドライトによる光をあまり反射させないので、運転手はまぶしさを感じなくなる。
【０００９】
後方にある車両のヘッドライトからの光の量が減少するとき、光導電素子２０４に印加される電圧Ｖｓｅｎｓｅが上昇する。光導電素子２０４に印加される電圧Ｖｓｅｎｓｅが基準電圧Ｖｒｅｆより高まれば、比較器２０６から正論理信号が出力される。スイッチ２０８は、正論理信号によって開かれる。
【００１０】
スイッチ２０８が開かれれば、電源電圧Ｂ＋がＥＣＤ２１０に印加されず、従ってＥＣＤ２１０の着色が止まり、ＥＣＤ２１０自体の酸化／還元作用により、順次に脱色される。図２に図示された既存のＥＣＤ制御装置は、着色時に着色電圧（図２の電源電圧Ｂ＋）をＥＣＤ ２１０に印加し、脱色時に着色電圧を遮断する。そして、ＥＣＤ制御装置は、脱色動作を促進するために、脱色時に脱色電圧を印加することもある。
【００１１】
現在使われているＥＣＤリアビューミラーは、３〜６秒の範囲を有するかなり遅い反応速度を有し、ＥＣＤが完全に着色及び脱色するまで着色電圧及び脱色電圧がＥＣＤに印加されることが維持されるために、ＥＣＤによる電力消耗が比較的大きい。
【００１２】
後方から入力される光の量が正常になれば、すなわち、運転手がまぶしさを感じないようになるほどに光の量が減少すれば、ＥＣＤリアビューミラーは、できる限り早く脱色されなければならない。そうでなければ、一時的に運転手が自動車の後方の状況を観察し難くなってしまう。従って、ＥＣＤリアビューミラーの電力消耗を少なくしてＥＣＤを早く脱色する方法が要求されている。
【発明の開示】
【発明が解決しようとする課題】
【００１３】
本発明は、ＥＣＤの電力消耗を減少させるＥＣＤ制御方法を提供することを目的とする。
【００１４】
本発明はまた、前記のＥＣＤ制御方法を実行するための装置を提供することを目的とする。
【課題を解決するための手段】
【００１５】
本発明は、無機質ＥＣＤのメモリ効果（すなわち、着色／脱色時にＥＣＤに印加される電圧を除去しても、着色／脱色状態を維持する効果）を利用することによって、着色／脱色動作が始まったときから所定時間が経過した後に、ＥＣＤに印加される電圧を遮断して電力損失を最小化する。また、本発明は、脱色速度を加速させるために、脱色時にＥＣＤに着色電圧の逆電圧を印加する。
【００１６】
本発明の一実施例によれば、着色電圧及び脱色電圧をそれぞれ利用してＥＣＤの着色及び脱色を制御する方法が提供される。前記方法は、着色電圧及び脱色電圧を利用してＥＣＤの着色または脱色を制御する方法において、前記着色電圧及び前記脱色電圧がＥＣＤに印加されたときの時間から、所定時間後に前記着色電圧及び脱色電圧を遮断することを特徴とする。
【００１７】
前記脱色電圧は、脱色作用を促進するために、前記着色電圧に対して反対極性を有しても良い。
【００１８】
本発明の他の実施例によれば、着色電圧及び脱色電圧を利用してＥＣＤの着色及び脱色を制御する装置において、前記ＥＣＤに入力される光の量に相応する光検出電圧とＥＣＤの着色のための基準電圧とを比較する比較器と、前記比較器から出力される論理信号に同期されて動作し、動作が始まった後の所定時間の間において、前記着色電圧または前記脱色電圧を前記ＥＣＤに印加するタイマスイッチとを具備することを特徴とするＥＣＤ制御装置が提供される。
【００１９】
前記制御装置は、前記比較器の比較結果に応答し、前記着色電圧または前記脱色電圧を選択的に前記ＥＣＤに印加する電圧選択器をさらに具備しても良い。
【００２０】
前記電圧選択器は、前記比較器の比較結果に応答し、前記着色電圧または前記着色電圧と反対極性を有する脱色電圧を前記ＥＣＤに選択的に印加しても良い。前記電圧選択器は、前記比較器の前記比較結果に応答し、前記着色電圧または前記着色電圧を反転させることによって得られた前記脱色電圧を前記ＥＣＤに選択的に印加しても良い。
【発明の効果】
【００２１】
本発明によるＥＣＤ制御装置は、着色及び脱色動作の開始から所定時間後に、ＥＣＤに印加される着色電圧及び脱色電圧を遮断することによって、電力消耗を減少させる。さらに、本発明によるＥＣＤ制御装置は、着色電圧を反転させることによって得られる電圧をＥＣＤに印加することによって、脱色動作速度を加速させる。
【発明を実施するための最良の形態】
【００２２】
本発明は、添付された図面に図示される本発明の例示的な実施例を具体的に説明することによって、明白になるのである。しかしながら、本発明は、多くの異なる形態に体現されても良く、以下の実施例に限定されるように解釈されるべきではなく、むしろ、これらの実施例は、この開示が十分に完全であり、当業者に概念を十分に伝えるためのものである。添付の図面では、同じ参照符号は、同じ構成要素を表す。
【００２３】
本発明は、無機質ＥＣＤのメモリ効果（すなわち、着色／脱色時にＥＣＤに印加される電圧を除去しても、着色／脱色状態を維持する効果）を利用することによって、着色／脱色動作が始まったときから一定時間が経過した後に、ＥＣＤに印加される電圧を遮断して電力損失を最小化する。また、本願発明は、脱色速度を加速させるために、脱色時にＥＣＤに着色電圧の逆電圧を印加する。
【００２４】
図３は、本発明の一実施例によるＥＣＤ制御装置の構成を表す図面である。図３を参照すれば、ＥＣＤ制御装置は、基準電圧Ｖｒｅｆと光検出電圧Ｖｓｅｎｓｅとを比較して論理信号を出力する比較器３１０、比較器３１０から出力される論理信号に応答して着色電圧ＶＤＤまたは脱色電圧−ＶＤＤを選択的に出力する電圧選択器３１２及びタイマスイッチ３１４を含む。基準電圧Ｖｒｅｆは、駆動電圧Ｖｄｄと接地電源との間に直列に連結された第１光導電素子３０２と第１抵抗３０４との連結点で得られ、光検出電圧Ｖｓｅｎｓｅは、駆動電圧Ｖｄｄと接地電源との間に直列に連結された第２光導電素子３０６と第２抵抗３１８との連結点で得られる。
【００２５】
第１光導電素子３０２は、車両の前方から入射される光の量を検出し、第２光導電素子３０６は、車両の後方から入射される光の量を検出する。すなわち、図３のＥＣＤ制御装置は、車両の前方から入射される光の量と車両の後方から入射される光の量との差によって、ＥＣＤ３１６の着色及び脱色を制御する。
【００２６】
電圧選択器３１２は、比較器３１０から出力される論理信号に応答して着色電圧ＶＤＤ及び脱色電圧−ＶＤＤのうち一つを選択し、選択された信号を出力する。比較器３１０は、基準電圧Ｖｒｅｆと光検出電圧Ｖｓｅｎｓｅとを比較し、基準電圧Ｖｒｅｆが光検出電圧Ｖｓｅｎｓｅより大きいときは正論理信号を出力し、基準電圧Ｖｒｅｆが光検出Ｖｓｅｎｓｅより小さいときは負論理信号を出力する。言い換えれば、比較器３１０は、車両の後方からの光の量が車両の前方からの光の量より大きい場合（すなわち、着色条件）には負論理信号を出力し、車両前方からの光の量が後方車両からの光の量より多い場合（すなわち、脱色条件）には正論理信号を出力する。
【００２７】
タイマスイッチ３１４は、比較器３１０の出力信号の立ち上がりエッジまたは立ち下がりエッジに同期されて動作する。タイマスイッチ３１４は、動作を始めた後から所定の時間の間のみターンオン状態を維持し、その後にターンオフされる。
【００２８】
着色条件になれば、比較器３１０が負論理信号を出力する。それにより、電圧選択器３１２は、着色電圧ＶＤＤを選択して出力する。タイマスイッチ３１４は、着色条件が満足されるときであるｔ０時点から動作を始め、所定の時間Ｔの間のみターンオン状態を維持し、その後ターンオフされる。従って、ＥＣＤ３１６を着色するための着色条件が満足されるときであるｔ０時点で、着色電圧ＶＤＤがＥＣＤ３１６に印加される。着色電圧ＶＤＤは、所定時間Ｔ後に遮断される。ＥＣＤ３１６は、メモリ効果によって着色された状態を維持する。
【００２９】
脱色条件になれば、比較器３１０は、正論理信号を出力する。それにより、電圧選択器３１２は、脱色電圧−ＶＤＤを選択する。タイマスイッチ３１４は、脱色条件が満足されるときであるｔ１時点から所定時間Ｔの間のみターンオンされ、その後ターンオフされる。従って、ＥＣＤ３１６を脱色するための脱色条件が満足されるときであるｔ１時点で、脱色電圧−ＶＤＤがＥＣＤ３１６に印加される。脱色電圧−ＶＤＤは、所定時間Ｔ後に遮断される。ＥＣＤ３１６は、メモリ効果によって脱色された状態を維持する。
【００３０】
図４は、図３に図示されたタイマスイッチの詳細な構成を示す図面である。図４を参照すれば、タイマスイッチ３１４は、比較器３１０から出力される論理信号のネガティブエッジで動作する第１パルス発生器４０２、比較器３１０から出力される論理信号のポジティブエッジで動作する第２パルス発生器４０４、第１及び第２パルス発生器４０２，４０４の出力信号を論理和演算するＯＲゲート４０６、そしてＯＲゲート４０６により制御されるスイッチ４０８を具備する。
【００３１】
比較器３１０がネガティブ論理信号を出力するとき、第１パルス発生器４０２は、所定時間Ｔの間ポジティブ状態を維持する第１パルス信号を発生させるために動作する。比較器３１０がポジティブ論理信号を出力するとき、第２パルス発生器４０４は、所定時間Ｔの間ポジティブ状態を維持する第２パルス信号を発生させるために動作する。従って、タイマスイッチ３１４は、第１及び第２パルス発生器４０２，４０４の動作によって着色条件または脱色条件が満足されるときの時間から所定時間Ｔの間だけ、電圧選択器３１２から出力される着色電圧ＶＤＤまたは脱色電圧−ＶＤＤをＥＣＤ３１６に提供する。
【００３２】
図５は、本発明の他の実施例によるＥＣＤ制御装置の構成を表す図面である。図５を参照すれば、ＥＣＤ制御装置は、基準電圧Ｖｒｅｆと光検出電圧Ｖｓｅｎｓｅとを比較する比較器５１０、比較器５１０の出力信号に応答して反転動作を行うインバータ５１２、比較器５１０の出力信号のネガティブエッジに同期して動作する第１タイマ５１４、比較器５１０の出力信号のポジティブエッジに同期して動作する第２タイマ５１６、並びに第１及び第２タイマ５１４，５１６によって開閉される４個のスイッチ５１８，５２０，５２２，５２４を含む。
【００３３】
基準電圧Ｖｒｅｆは、駆動電圧Ｖｄｄと接地電源との間に直列に連結された第１光導電素子５０２と第１抵抗５０４との連結ノードで得られ、光検出電圧Ｖｓｅｎｓｅは、駆動電圧Ｖｄｄと接地電源との間に直列に連結された第２光導電素子５０６と第２抵抗５１８との連結ノードで得られる。
【００３４】
第１光導電素子５０２は、車両の前方から入射される光の量を検出し、第２光導電素子５０６は、車両の後方から入射される光の量を検出する。
【００３５】
一方、４個のスイッチ５１８，５２０，５２２，５２４は、ＥＣＤ５２６を共通経路として有するブリッジ回路を形成する。４個のスイッチ５１８，５２０，５２２，５２４は、それぞれブリッジ回路の対角線方向に２つの互いに異なる経路を決定する第１スイッチ対５１８，５２４及び第２スイッチ対５２０，５２２に組になる。第１スイッチ対５１８，５２４及び第２スイッチ対５２０，５２２は、それぞれ比較器５１０の比較結果に応答し、２つの互いに異なる経路のうちいずれか一つを構成するようにスイッチングされる。
【００３６】
インバータ５１２は、比較器５１０から出力される論理信号に応答して、接地電圧ＧＮＤと着色電圧ＶＤＤとを第１及び第２出力端子Ｐ１，Ｐ２に出力する。特に、比較器５１０がネガティブ論理信号を出力するとき、第１出力端子Ｐ１を介して着色電圧ＶＤＤを出力し、第２出力端子Ｐ２を介して接地電圧ＧＮＤを出力する。反対に、比較器５１０がポジティブ論理信号を出力するとき、インバータ５１２は、第１出力端子Ｐ１を介して接地電圧ＧＮＤを出力し、第２出力端子Ｐ２を介して着色電圧ＶＤＤを出力する。
【００３７】
４個のスイッチ５１８，５２０，５２２，５２４は、対をなして動作する。すなわち、第１タイマ５１４が第１スイッチ５１８及び第４スイッチ５２４を有する第１スイッチ対を制御し、第２タイマ５１６は、第２スイッチ５２０及び第３スイッチ５２２を有する第２スイッチ対を制御する。第１タイマ５１４が動作するとき、着色電圧ＶＤＤ及び接地電圧ＧＮＤがそれぞれＥＣＤ５２６の上部端子及び下部端子に印加される。第２タイマ５１６が動作するとき、接地電圧ＧＮＤ及び着色電圧ＶＤＤは、それぞれＥＣＤ５２６の上部端子及び下部端子に印加される。
【００３８】
図６は、図５に図示された装置のＥＣＤ着色制御動作を説明するためのダイヤグラムである。比較器５１０は、車両後方から入射される光の量が車両前方から入射される光の量よりさらに多いとき（すなわち、着色条件が満足されれば）、ネガティブ論理信号を出力する。従って、インバータ５１２は、着色電圧ＶＤＤ及び接地電圧ＧＮＤそれぞれを第１及び第２出力端子Ｐ１，Ｐ２を介して出力する。
【００３９】
第１タイマ５１４は、比較器５１０の出力信号のネガティブエッジに同期し、所定時間Ｔ１の間ポジティブ状態を維持する第１パルス信号を出力する。第１タイマ５１４により制御される第１スイッチ５１８及び第４スイッチ５２４は、第１パルス信号に応答して所定時間Ｔ１の間ターンオン状態を維持する。結果として、着色電圧ＶＤＤ及び接地電圧ＧＮＤは、それぞれＥＣＤ５２６の上部端子及び下部端子に印加される。従って、ＥＣＤ５２６は、所定時間Ｔ１の間着色され、その後にはメモリ効果によって着色された状態を維持する。
【００４０】
図７は、図５に図示されたＥＣＤ制御装置のＥＣＤ脱色制御動作を説明するためのダイヤグラムである。比較器５１０は、車両前方から入射される光の量が車両後方から入射される光の量より多いとき（すなわち、脱色条件が満足されれば）、ポジティブ論理信号を出力する。従って、インバータ５１２は、接地電圧ＧＮＤ及び着色電圧ＶＤＤをそれぞれ第１及び第２出力端子Ｐ１，Ｐ２を介して出力する。
【００４１】
第２タイマ５１６は、比較器５１０の出力信号のポジティブエッジに同期し、所定時間Ｔ２の間ポジティブ状態を維持する第２パルス信号を出力する。第２タイマ５１６によって制御される第２スイッチ５２０及び第３スイッチ５２２は、第２パルス信号に応答して所定時間Ｔ２の間ターンオン状態を維持する。結果として、接地電圧ＧＮＤ及び着色電圧ＶＤＤそれぞれがＥＣＤ５２６の上部端子及び下部端子に印加される。従って、ＥＣＤ５２６は、所定時間Ｔ２の間脱色され、その後にはメモリ効果によって脱色された状態を維持する。図７では、接地電圧ＧＮＤ及び脱色電圧ＶＤＤは、それぞれＥＣＤ５２６の上部端子及び下部端子に印加されるが、図６では、着色電圧ＶＤＤ及び接地電圧ＧＮＤがそれぞれＥＣＤ５２６の上部端子及び下部端子に印加される。
【００４２】
図３及び図５のＥＣＤ制御装置は、ＥＣＤ３２６，５２６を着色するためにＥＣＣＤ３２６，５２６に印加される電圧を反転させることによって得られる電圧をＥＣＤ３２６，５２６を脱色するためにＥＣＤ３１６，５２６に印加し、それによって、脱色動作速度を加速する。これは、ＥＣＤ５２６の酸化／還元作用を利用することによって達成される。
【００４３】
図３及び図５のＥＣＤ制御装置は、着色及び脱色動作が始まったときから所定時間が経った後、ＥＣＤ３２６，５２６に印加される着色電圧及び脱色電圧を遮断する。着色電圧及び脱色電圧が遮断されたにもかかわらず、ＥＣＤ３２６，５２６は、メモリ効果によって着色された状態及び脱色された状態を維持する。従って、ＥＣＤ３２６，５２６は、所定時間の間のみ着色または脱色動作を行うために、小さな電力消耗しか必要としない。
【００４４】
図３及び図５のＥＣＤ制御装置は、それらの寿命を延長させるために、所定時間の間のみ着色及び脱色動作を行い、その後にはメモリ効果により着色された状態及び脱色された状態を維持する。
【００４５】
図５のＥＣＤ制御装置は、着色動作と脱色動作とが急速にスイッチングされるときにさらに効果的である。これは、なぜならば、着色及び脱色動作が、着色電圧と脱色電圧とがそれぞれ互いに異なる経路を介してＥＣＤ５２６に印加されるために、ＥＣＤ５２６の状態に関わらず、常に着色及び脱色動作がなされるからである。
【００４６】
上記のように、本発明によるＥＣＤ制御装置は、着色及び脱色動作が開始したときの時間から所定時間後に、ＥＣＤに印加される着色電圧及び脱色電圧を遮断することによって、ＥＣＤの電力消耗を減少させる。さらに、本発明によるＥＣＤ制御装置は、着色電圧を反転させることによって得られる電圧をＥＣＤに印加することによって、脱色動作速度を加速させる。
【００４７】
本発明は、実施例による参照符号と共に特定されて示されて説明されたが、本技術分野の当業者ならば、多様な変形及び他の実施例を添付の特許請求の範囲の技術的思想及び技術的範囲から逸脱すつことなく考えられるという点が理解できるであろう。
【図面の簡単な説明】
【００４８】
【図１】既存のＥＣＤの垂直断面構造を示す図面である。
【図２】既存のＥＣＤ制御装置の構成を示す図面である。
【図３】本発明の一実施例によるＥＣＤ制御装置の構成を表す図面である。
【図４】図３に図示されたタイマスイッチの構成を表す図面である。
【図５】本発明の他の実施例によるＥＣＤ制御装置の構成を表す図面である。
【図６】図５のＥＣＤ制御装置のＥＣＤ着色制御動作を説明するためのダイヤグラムである。
【図７】図５のＥＣＤ制御装置でのＥＣＤ脱色制御動作を説明するためのダイヤグラムである。
【図１】
2008533536.tif 000003
【図２】
2008533536.tif 000004
【図３】
2008533536.tif 000005
【図４】
2008533536.tif 000006
【図５】
2008533536.tif 000007
【図６】
2008533536.tif 000008
【図７】
2008533536.tif 000009
【国際調査報告】
2008533536.tif 000010
2008533536.tif 000011